(57)【要約】【課題】管理者が所望するコピーモードの設定を維持することを目的とする。【解決手段】コピーモード判定部は、「画質色」（「原稿印刷面」）のコピー条件の設定が「ＯＦＦ」であるか否かを判定し、設定が「ＯＦＦ」でないとの判定結果を得た場合、優先条件と表示制御部で受け付けた設定情報に対応するコピー条件とが一致するか否かをさらに判定し、一致しないとの判定結果を得た場合、コピーモード設定部は、当該優先条件を表示制御部で受け付けた設定情報に対応するコピー条件として設定する。一方、設定が「ＯＦＦ」であるとの判定結果を受けた場合、または優先条件と表示制御部で受け付けた設定情報に対応するコピー条件とが一致しないとの判定結果を得た場合、コピーモード設定部は、表示制御部で受け付けた設定情報に対応するコピー条件を設定する。【選択図】        図４
2007251673.tif 000002
【特許請求の範囲】
【請求項１】
画像形成に係る複数の条件を定めた初期設定モードを記憶した記憶手段と、
画像形成に係る複数の条件を定めた画像形成モードを入力する入力手段と、
前記入力手段で入力した画像形成モードを設定する画像形成モード設定手段と、
前記画像形成モード設定手段で設定した画像形成モードに基づいて画像を形成する画像形成手段と、
を備え、
前記画像形成モード設定手段は、前記入力手段で入力した画像形成モードに定められた複数の前記条件が前記記憶手段に記憶した初期設定モードに定められた複数の前記条件と異なる場合に、当該初期設定モードに定められた複数の前記条件を当該画像形成モードに定められた複数の前記条件として前記画像形成モードを設定すること
を特徴とする画像形成装置。
【請求項２】
前記記憶手段は、前記記憶手段に記憶した初期設定モードに定められた複数の前記条件のうち所定の条件を優先条件としてさらに記憶し、
前記画像形成モード設定手段は、前記入力手段で入力した画像形成モードに定められた前記条件が前記優先条件と異なる場合に、前記記憶手段に記憶した初期設定モードに定められた複数の前記条件を当該画像形成モードに定められた複数の前記条件として前記画像形成モードを設定すること
を特徴とする請求項１に記載の画像形成装置。
【請求項３】
前記画像形成モード設定手段は、前記入力手段で入力した画像形成モードに定められた前記条件が前記優先条件と異なる場合に、当該優先条件のみを当該画像形成モードに定められた前記条件として前記画像形成モードを設定すること
を特徴とする請求項２に記載の画像形成装置。
【請求項４】
前記記憶手段は、片面印刷または両面印刷であることを前記優先条件として記憶すること
を特徴とする請求項２または３に記載の画像形成装置。
【請求項５】
前記記憶手段は、フルカラー印刷または白黒印刷であることを前記優先条件として記憶すること
を特徴とする請求項２から４のいずれか１つに記載の画像形成装置。
【請求項６】
前記画像形成モード設定手段は、前記画像形成モードを当該装置が初期状態に戻るときに設定すること
を特徴とする請求項１から５のいずれか１つに記載の画像形成装置。
【請求項７】
前記記憶手段に記憶した初期設定モードの内容を変更する初期設定モード変更手段をさらに備え、
前記入力手段は、認証情報および前記記憶手段に記憶した初期設定モードと異なる他の前記初期設定モードをさらに入力し、
前記記憶手段は、予め定められた認証情報をさらに記憶し、
前記初期設定モード変更手段は、前記入力手段で入力した認証情報と前記記憶手段に記憶した前記認証情報とが一致する場合に前記記憶手段に記憶した初期設定モードの内容を前記入力手段で入力した他の前記初期設定モードの内容に変更すること
を特徴とする請求項１から６のいずれか１つに記載の画像形成装置。
【請求項８】
画像形成に係る複数の条件を定めた画像形成モードを入力するモード入力ステップと、
前記モード入力ステップで入力した画像形成モードを設定する画像形成モード設定ステップと、
前記画像形成モード設定ステップで設定した画像形成モードに基づいて画像を形成する画像形成ステップと、
を含み、
前記画像形成モード設定ステップは、前記モード入力ステップで入力した画像形成モードに定められた複数の前記条件が、画像形成に係る複数の条件を定めたモードである初期設定モードに予め定められた複数の前記条件と異なる場合に、当該初期設定モードに定められた複数の前記条件を当該画像形成モードに定められた複数の前記条件として前記画像形成モードを設定すること
を特徴とする画像形成方法。
【請求項９】
前記画像形成モード設定ステップは、前記モード入力ステップで入力した画像形成モードに定められた前記条件が前記初期設定モードに定められた複数の前記条件のうち予め定めた条件である優先条件と異なる場合に、当該初期設定モードに定められた複数の前記条件を当該画像形成モードに定められた複数の前記条件として前記画像形成モードを設定すること
を特徴とする請求項８に記載の画像形成方法。
【請求項１０】
前記画像形成モード設定ステップは、前記モード入力ステップで入力した画像形成モードに定められた前記条件が前記優先条件と異なる場合に、当該優先条件のみを当該画像形成モードに定められた前記条件として前記画像形成モードを設定すること
を特徴とする請求項９に記載の画像形成方法。
【請求項１１】
前記優先条件は、片面印刷または両面印刷であること
を特徴とする請求項９または１０に記載の画像形成方法。
【請求項１２】
前記優先条件は、フルカラー印刷または白黒印刷であること
を特徴とする請求項９から１１のいずれか１つに記載の画像形成方法。
【請求項１３】
前記画像形成モード設定ステップは、前記画像形成モードを画像形成装置が初期状態に戻るときに設定すること
を特徴とする請求項８から１２のいずれか１つに記載の画像形成方法。
【請求項１４】
前記入力ステップの実行前に認証情報を入力する認証情報入力ステップと、
前記認証情報入力ステップで入力した認証情報と予め定められた特定の認証情報とが一致する場合に前記初期設定モードと異なる他の前記初期設定モードを入力する初期設定入力ステップと、
前記初期設定モードの内容を前記初期設定入力ステップで入力した他の前記初期設定モードの内容に変更する初期設定モード変更ステップと、
をさらに含むこと
を特徴とする請求項８から１３のいずれか１つに記載の画像形成方法。
【請求項１５】
画像形成に係る複数の条件を定めた画像形成モードを入力するモード入力ステップと、
前記モード入力ステップで入力した画像形成モードを設定する画像形成モード設定ステップと、
前記画像形成モード設定ステップで設定した画像形成モードに基づいて画像を形成する画像形成ステップと、
を含み、
前記画像形成モード設定ステップは、前記モード入力ステップで入力した画像形成モードに定められた複数の前記条件が、画像形成に係る複数の条件を定めたモードである初期設定モードに予め定められた複数の前記条件と異なる場合に、当該初期設定モードに定められた複数の前記条件を当該画像形成モードに定められた複数の前記条件として前記画像形成モードを設定すること
を特徴とする画像形成プログラム。
【請求項１６】
前記画像形成モード設定ステップは、前記モード入力ステップで入力した画像形成モードに定められた前記条件が前記初期設定モードに定められた複数の前記条件のうち予め定めた条件である優先条件と異なる場合に、当該初期設定モードに定められた複数の前記条件を当該画像形成モードに定められた複数の前記条件として前記画像形成モードを設定すること
を特徴とする請求項１５に記載の画像形成プログラム。
【請求項１７】
前記画像形成モード設定ステップは、前記モード入力ステップで入力した画像形成モードに定められた前記条件が前記優先条件と異なる場合に、当該優先条件のみを当該画像形成モードに定められた前記条件として前記画像形成モードを設定すること
を特徴とする請求項１６に記載の画像形成プログラム。
【請求項１８】
前記所定の条件は、片面印刷または両面印刷であること
を特徴とする請求項１６または１７に記載の画像形成プログラム。
【請求項１９】
前記所定の条件は、フルカラー印刷または白黒印刷であること
を特徴とする請求項１６から１８のいずれか１つに記載の画像形成プログラム。
【請求項２０】
前記画像形成モード設定ステップは、前記画像形成モードを画像形成装置が初期状態に戻るときに設定すること
を特徴とする請求項１５から１９のいずれか１つに記載の画像形成プログラム。
【請求項２１】
前記入力ステップの実行前に認証情報を入力する認証情報入力ステップと、
前記認証情報入力ステップで入力した認証情報と予め定められた特定の認証情報とが一致する場合に前記初期設定モードと異なる他の前記初期設定モードを入力する初期設定入力ステップと、
前記初期設定モードの内容を前記初期設定入力ステップで入力した他の前記初期設定モードの内容に変更する初期設定モード変更ステップと、
をさらに含むこと
を特徴とする請求項１５から２０のいずれか１つに記載の画像形成プログラム。
【請求項２２】
前記請求項１５から２１のいずれか１つに記載の画像形成プログラムを記録したこと
を特徴とするコンピュータ読み取り可能な記録媒体。
【発明の詳細な説明】
【技術分野】
【０００１】
本発明は、画像形成装置、画像形成方法、画像形成プログラム、および、記録媒体に関し、特に、画像形成に係る複数の条件を定めた画像形成モードを設定する画像形成装置、画像形成方法、画像形成プログラム、および、記録媒体に関する。
【背景技術】
【０００２】
画像形成に係る複数の機能（用紙サイズ、原稿印刷面、印刷倍率など）を備える画像形成装置は、当該機能ごとの条件（Ａ４、片面印刷、１００％など）を定めたものである画像形成モードを設定する。当該装置の管理者は操作画面上で画像形成モードの入力操作をすることにより所望の画像形成モードを簡易に設定させることができる。また、当該機能ごとの条件を定めた所望の画像形成モードを初期設定値として記憶させておくことにより、当該初期設定値としての画像形成モードを当該装置が初期状態時に戻るときに設定させることもできる。
【発明の開示】
【発明が解決しようとする課題】
【０００３】
しかしながら、従来の画像形成装置では、当該装置の管理者が所望する画像形成モードを設定した場合であっても、当該画像形成モードの内容を変更することができるので、管理者が所望する画像形成モードの設定の維持ができないという問題があった。また、初期設定値として記憶させた画像形成モードの内容の変更操作を、パスワードを設けることにより防止することができるが、初期設定値としての画像形成モードとは別の画像形成モードを記憶させておき、画像形成装置が初期状態に戻るときに当該初期設定値としての画像形成モードに優先して当該別の画像形成モードを設定することもできるため、管理者が所望する画像形成モードを初期設定値として記憶させておく意義がなくなるという問題があった。
【０００４】
本発明は、上記に鑑みてなされたものであって、管理者が所望する画像形成モードの設定を維持することのできる画像形成装置、画像形成方法、画像形成プログラム、および、記録媒体を提供することを目的とする。
【課題を解決するための手段】
【０００５】
上述した課題を解決し、目的を達成するために、請求項１に係る発明は、画像形成装置に関するものであり、画像形成に係る複数の条件を定めた初期設定モードを記憶した記憶手段と、画像形成に係る複数の条件を定めた画像形成モードを入力する入力手段と、前記入力手段で入力した画像形成モードを設定する画像形成モード設定手段と、前記画像形成モード設定手段で設定した画像形成モードに基づいて画像を形成する画像形成手段と、を備え、前記画像形成モード設定手段は、前記入力手段で入力した画像形成モードに定められた複数の前記条件が前記記憶手段に記憶した初期設定モードに定められた複数の前記条件と異なる場合に、当該初期設定モードに定められた複数の前記条件を当該画像形成モードに定められた複数の前記条件として前記画像形成モードを設定することを特徴とする。
【０００６】
また、請求項２に係る発明は、請求項１に記載の画像形成装置において、前記記憶手段は、前記記憶手段に記憶した初期設定モードに定められた複数の前記条件のうち所定の条件を優先条件としてさらに記憶し、前記画像形成モード設定手段は、前記入力手段で入力した画像形成モードに定められた前記条件が前記優先条件と異なる場合に、前記記憶手段に記憶した初期設定モードに定められた複数の前記条件を当該画像形成モードに定められた複数の前記条件として前記画像形成モードを設定することを特徴とする。
【０００７】
また、請求項３に係る発明は、請求項２に記載の画像形成装置において、前記画像形成モード設定手段は、前記入力手段で入力した画像形成モードに定められた前記条件が前記優先条件と異なる場合に、当該優先条件のみを当該画像形成モードに定められた前記条件として前記画像形成モードを設定することを特徴とする。
を特徴とする。
【０００８】
また、請求項４に係る発明は、請求項２または３に記載の画像形成装置において、前記記憶手段は、片面印刷または両面印刷であることを前記優先条件として記憶することを特徴とする。
【０００９】
また、請求項５に係る発明は、請求項２から４のいずれか１つに記載の画像形成装置において、前記記憶手段は、フルカラー印刷または白黒印刷であることを前記優先条件として記憶することを特徴とする。
【００１０】
また、請求項６に係る発明は、請求項１から５のいずれか１つに記載の画像形成装置において、前記画像形成モード設定手段は、前記画像形成モードを当該装置が初期状態に戻るときに設定することを特徴とする。
【００１１】
また、請求項７に係る発明は、請求項１から６のいずれか１つに記載の画像形成装置において、前記記憶手段に記憶した初期設定モードの内容を変更する初期設定モード変更手段をさらに備え、前記入力手段は、認証情報および前記記憶手段に記憶した初期設定モードと異なる他の前記初期設定モードをさらに入力し、前記記憶手段は、予め定められた認証情報をさらに記憶し、前記初期設定モード変更手段は、前記入力手段で入力した認証情報と前記記憶手段に記憶した前記認証情報とが一致する場合に前記記憶手段に記憶した初期設定モードの内容を前記入力手段で入力した他の前記初期設定モードの内容に変更することを特徴とする。
【００１２】
また、請求項８に係る発明は、画像形成方法に関するものであり、画像形成に係る複数の条件を定めた画像形成モードを入力するモード入力ステップと、前記モード入力ステップで入力した画像形成モードを設定する画像形成モード設定ステップと、前記画像形成モード設定ステップで設定した画像形成モードに基づいて画像を形成する画像形成ステップと、を含み、前記画像形成モード設定ステップは、前記モード入力ステップで入力した画像形成モードに定められた複数の前記条件が、画像形成に係る複数の条件を定めたモードである初期設定モードに予め定められた複数の前記条件と異なる場合に、当該初期設定モードに定められた複数の前記条件を当該画像形成モードに定められた複数の前記条件として前記画像形成モードを設定することを特徴とする。
【００１３】
また、請求項９に係る発明は、請求項８に記載の画像形成方法において、前記画像形成モード設定ステップは、前記モード入力ステップで入力した画像形成モードに定められた前記条件が前記初期設定モードに定められた複数の前記条件のうち予め定めた条件である優先条件と異なる場合に、当該初期設定モードに定められた複数の前記条件を当該画像形成モードに定められた複数の前記条件として前記画像形成モードを設定することを特徴とする。
【００１４】
また、請求項１０に係る発明は、請求項９に記載の画像形成方法において、前記画像形成モード設定ステップは、前記モード入力ステップで入力した画像形成モードに定められた前記条件が前記優先条件と異なる場合に、当該優先条件のみを当該画像形成モードに定められた前記条件として前記画像形成モードを設定することを特徴とする。
【００１５】
また、請求項１１に係る発明は、請求項９または１０に記載の画像形成方法において、前記優先条件は、片面印刷または両面印刷であることを特徴とする。
を特徴とする。
【００１６】
また、請求項１２係る発明は、請求項９から１１のいずれか１つに記載の画像形成方法において、前記優先条件は、フルカラー印刷または白黒印刷であることを特徴とする。
【００１７】
また、請求項１３に係る発明は、請求項８から１２のいずれか１つに記載の画像形成方法において、前記画像形成モード設定ステップは、前記画像形成モードを当該装置が初期状態に戻るときに設定することを特徴とする。
【００１８】
また、請求項１４に係る発明は、請求項８から１３のいずれか１つに記載の画像形成方法において、前記入力ステップの実行前に認証情報を入力する認証情報入力ステップと、前記認証情報入力ステップで入力した認証情報と予め定められた特定の認証情報とが一致する場合に前記初期設定モードと異なる他の前記初期設定モードを入力する初期設定入力ステップと、前記初期設定モードの内容を前記初期設定入力ステップで入力した他の前記初期設定モードの内容に変更する初期設定モード変更ステップと、をさらに含むことを特徴とする。
【００１９】
また、請求項１５に係る発明は、画像形成プログラムに関するものであり、画像形成に係る複数の条件を定めた画像形成モードを入力するモード入力ステップと、前記モード入力ステップで入力した画像形成モードを設定する画像形成モード設定ステップと、前記画像形成モード設定ステップで設定した画像形成モードに基づいて画像を形成する画像形成ステップと、を含み、前記画像形成モード設定ステップは、前記モード入力ステップで入力した画像形成モードに定められた複数の前記条件が、画像形成に係る複数の条件を定めたモードである初期設定モードに予め定められた複数の前記条件と異なる場合に、当該初期設定モードに定められた複数の前記条件を当該画像形成モードに定められた複数の前記条件として前記画像形成モードを設定することを特徴とする。
【００２０】
また、請求項１６に係る発明は、請求項１５に記載の画像形成プログラムにおいて、前記画像形成モード設定ステップは、前記モード入力ステップで入力した画像形成モードに定められた前記条件が前記初期設定モードに定められた複数の前記条件のうち予め定めた条件である優先条件と異なる場合に、当該初期設定モードに定められた複数の前記条件を当該画像形成モードに定められた複数の前記条件として前記画像形成モードを設定することを特徴とする。
【００２１】
また、請求項１７に係る発明は、請求項１６に記載の画像形成プログラムにおいて、前記画像形成モード設定ステップは、前記モード入力ステップで入力した画像形成モードに定められた前記条件が前記優先条件と異なる場合に、当該優先条件のみを当該画像形成モードに定められた前記条件として前記画像形成モードを設定することを特徴とする。
【００２２】
なた、請求項１８に係る発明は、請求項１６または１７に記載の画像形成プログラムにおいて、前記優先条件は、片面印刷または両面印刷であることを特徴とする。
【００２３】
また、請求項１９に係る発明は、請求項１６から１８のいずれか１つに記載の画像形成プログラムにおいて、前記優先条件は、フルカラー印刷または白黒印刷であることを特徴とする。
【００２４】
また、請求項２０に係る発明は、請求項１５から１９のいずれか１つに記載の画像形成プログラムにおいて、前記画像形成モード設定ステップは、前記画像形成モードを画像形成装置が初期状態に戻るときに設定することを特徴とする。
【００２５】
また、請求項２１に係る発明は、請求項１５から２０のいずれか１つに記載の画像形成プログラムにおいて、前記入力ステップの実行前に認証情報を入力する認証情報入力ステップと、前記認証情報入力ステップで入力した認証情報と予め定められた特定の認証情報とが一致する場合に前記初期設定モードと異なる他の前記初期設定モードを入力する初期設定入力ステップと、前記初期設定モードの内容を前記初期設定入力ステップで入力した他の前記初期設定モードの内容に変更する初期設定モード変更ステップと、をさらに含むことを特徴とする。
【００２６】
また、請求項２２に係る発明は、記録媒体に関するものであり、請求項１５から２１のいずれか１つに記載の画像形成プログラムを記録したことを特徴とする。
【発明の効果】
【００２７】
請求項１，８，１５に係る発明によれば、画像形成に係る複数の条件を定めた画像形成モードを入力し、入力した画像形成モードに定められた複数の条件が初期設定モードに定められた複数の条件と異なる場合に、初期設定モードに定められた複数の条件を画像形成モードに定められた条件として画像形成モードを設定するので、管理者が所望する画像形成モードの設定を維持することができるという効果を奏する。
【００２８】
また、請求項２，９，１６に係る発明によれば、入力した画像形成モードに定められた条件が初期モードに定められた優先条件と異なる場合に、初期設定モードに定められた複数の条件を画像形成モードに定められた複数の条件として画像形成モードを設定するので、管理者が所望する特定の条件が利用者の所望の条件と異なる場合に、利用者が所望する画像形成モードに優先して管理者が所望する画像形成モードを設定することができるという効果を奏する。
【００２９】
また、請求項３，１０，１７に係る発明によれば、入力した画像形成モードに定められた条件が優先条件と異なる場合に、当該優先条件のみを画像形成モードに定められた条件として画像形成モードを設定するので、利用者が所望する条件に優先させて管理者が所望する特定の条件を定めた画像形成モードを設定することができるという効果を奏する。
【００３０】
また、請求項４，１１，１８に係る発明によれば、両面印刷または片面印刷であることを優先条件として記憶することができるので、両面印刷を優先条件とした場合には画像形成に係るコストを削減することができるという効果を奏する。
【００３１】
また、請求項５，１２，１９に係る発明によればフルカラー印刷または白黒印刷であることを優先条件として記憶することができるので、白黒印刷を優先条件とした場合には画像形成に係るコストを削減することができるという効果を奏する。
【００３２】
また、請求項６，１３，２０に係る発明によれば、画像形成モードを当該装置が初期状態に戻るときに設定するので、利用者の所望の画像形成モードに優先して管理者の所望の画像形成モードを電源投入時やリセット時などに設定することができるという効果を奏する。
【００３３】
また、請求項７，１４，２１に係る発明によれば、認証情報および他の初期設定モードをさらに入力し、入力した認証情報と予め定められた認証情報とが一致する場合に初期設定モードの内容を入力した他の初期設定モードの内容に変更するので、管理者が所望する初期設定値の利用者による変更操作を防止することができるという効果を奏する。
【００３４】
また、請求項２２に係る発明によれば、請求項１５から２１のいずれか１つに記載の画像処理プログラムを記録しているので、当該記録媒体に記録されたプログラムをコンピュータに読み取らせて実行することによって、請求項１５から２１のいずれか１つに記載の画像形成プログラムをコンピュータを利用して実現することができ、請求項１５から２１のいずれか１つに記載の画像形成プログラムと同様の効果を得ることができるという効果を奏する。
【発明を実施するための最良の形態】
【００３５】
以下に添付図面を参照して、この発明に係る画像形成装置、画像形成方法、画像形成プログラム、および、記録媒体の最良な実施の形態を詳細に説明する。なお、この実施の形態によりこの発明が限定されるものではない。また、本実施の形態においては、画像形成装置を複合機に適用した例を示す。
【００３６】
（第１の実施の形態）
図１は、第１の実施の形態の複合機１００の構成を示すブロック図である。第１の実施の形態の複合機１００は、同図に示すように、操作表示部１１０と、スキャナ部１２０と、プリンタ部１３０と、本体部１４０と、で構成される。なお、第１の実施の形態の複合機１００の各部はそれぞれ単一で構成されているが、複数で構成されていてもよい。
【００３７】
図２は、第１の実施の形態の操作表示部１１０の構成の一例を示す図である。同図に示すように、操作表示部１１０は、液晶タッチパネル１１２と、操作部１１４と、を含んで構成され、複合機１００が有するコピー機能のコピー条件を定めたコピーモードおよび当該コピーモードの初期設定値であるコピー初期モードの設定情報を入力することが可能である。ここで、コピー機能とは、図３に示すように、用紙サイズ、原稿印刷面、色、印刷倍率などをいう。また、コピー条件とは、同図に示すように、Ａ４（Ｂ５やＡ３など）、片面（両面）、フルカラー（白黒）、１００％（９３％、１１４％など）などをいう。なお、コピー初期モードはコピー条件の他に、他のコピー条件に優先して設定される優先条件をさらに定める。
【００３８】
再び図２に戻り、液晶タッチパネル１１２は、利用者の指やペンなどの画面上への接触を感知し、感知した画面上の場所に対応する設定情報の入力を行い、当該入力した設定情報に従って、操作の状態やメッセージなどを表す各種画面を表示する。なお、液晶タッチパネル１１２を複合機に必ずしも備えている必要はなく、外部装置として、例えば液晶ディスプレイに各種画面を表示させてもよい。
【００３９】
操作部１１４は、同図に示すように、電源ボタン、テンキーなどの押下させるための各種ボタンおよびキーの他に、初期設定キー１１４ａを備えて構成される。各種ボタン、キーを押下させることにより、押下させたボタンやキーに対応する設定情報を入力することができる。なお、操作部１１４を複合機１００に必ずしも備えている必要はなく、外部装置として、例えばキーボードやマウスを用いてもよい。
【００４０】
再び図１に戻り、スキャナ部１２０は、給紙された原稿をＣＣＤ（Ｃｈａｒｇｅ  Ｃｏｕｐｌｅｄ  Ｄｅｖｉｃｅ）を用いて光学的に画像データを読み取る。なお、スキャナ部１２０は、原稿を自動的に連続して給紙するＡＤＦ（Ａｕｔｏ  Ｄｏｃｕｍｅｎｔ  Ｆｅｅｄｅｒ）を備えていてもよい。
【００４１】
プリンタ部１３０は、本体部１４０で生成した画像データを用紙に印刷し、印刷した用紙をトレーに排紙する。
【００４２】
本体部１４０は、制御部２００と、記憶部３００と、を含んで構成される。
【００４３】
制御部２００は、複合機１００全体を制御し、表示制御部２０２と、コピーモード設定部２０４と、コピー初期モード設定部２０６と、コピーモード判定部２０８と、スキャナ制御部２１０と、画像処理部２１２と、プリンタ制御部２１４と、を含んで構成される。
【００４４】
表示制御部２０２は、操作表示部１１０で入力されたコピーモードの設定情報やコピー初期モードの設定情報を受け付け、受け付けた設定情報に基づいて液晶タッチパネル１１２の画面上に操作の状態やメッセージなどの各種画面を表示させる。
【００４５】
コピーモード設定部２０４は、表示制御部２０２で受け付けた設定情報に対応するコピー条件を設定する。
【００４６】
コピー初期モード設定部２０６は、複合機１００が有する複数のコピー機能のコピー条件を定めたコピーモードの初期設定値であるコピー初期モードの内容を変更して後述するＮＶ−ＲＡＭ３０６に記憶させることにより設定する。
【００４７】
ここで、コピー初期モードについて説明する。コピー初期モードは、管理者が初期設定値として所望するコピーモードであり、コピー条件の他に優先条件を定めて設定することができる。優先条件とは、表示制御部２０２で受け付けた設定情報に対応するコピー条件（例えば片面）に優先してコピーモード設定部２０４で設定されるコピー条件（例えば両面）をいう。なお、第１の実施の形態において優先条件を設定できるコピー機能は「原稿印刷面」と「画像色」としている。従って、本実施の形態では、「両面」／「片面」および「白黒」／「フルカラー」を優先条件とすることができる。「両面」や「白黒」を優先条件として定めて設定している場合には、操作表示部２０２で受け付けた設定情報に対応するコピー条件（「片面」や「フルカラー」）に優先して「両面」や「白黒」が設定されるので、印刷処理にかかるコストを削減することができる。なお、優先条件を設定できるコピー機能のコピー条件には「ＯＦＦ」が含まれ、「ＯＦＦ」を「原稿印刷面」や「画像色」のコピー条件として定めて設定している場合には、表示制御部２０２で受け付けた設定情報に対応するコピー条件が設定される。「原稿印刷面」や「画像色」のコピー条件に「ＯＦＦ」を含ませたことにより、管理者は優先条件を適宜に設定させることができる。なお、コピー初期モードに定められたコピー条件の変更には、予め定められたパスワードの入力を必要とし、コピーモード設定部２０４は、表示制御部２０２でパスワードを受け付けた場合に、当該受け付けたパスワードと予め定められたパスワードとが一致するか否かを判定し、一致するとの判定結果を得た場合にのみコピー初期モードに定められた条件の内容を変更して設定する。これにより、管理者が所望するコピーモードであるコピー初期モードに定められたコピー条件の利用者による変更操作を防止することができる。
【００４８】
コピーモード判定部２０８は、コピーモード設定部２０４で設定するコピー条件を決定するために判定処理を行う。具体的には、コピー初期モードに定められた「画像色」のコピー条件または「原稿印刷面」のコピー条件の設定が「ＯＦＦ」であるか否かを判定する。当該判定結果が「ＯＦＦ」でない場合は優先条件が定められているため、コピーモード判定部２０８は、コピー初期印刷モードに定められた優先条件と表示制御部２０２で受け付けた設定情報に対応するコピー条件とを対比し、両条件が一致するか否かをさらに判定する。管理者がコスト削減の観点から「両面」や「白黒」のコピー条件の設定を所望している場合に、利用者によるコピー条件の設定操作によって「片面」や「フルカラー」をコピー条件として設定させたのでは複合機１００の十分な管理ができるとはいえない。そこで、コピー初期モードに定められた優先条件と、表示制御部２０２で受け付けた設定情報に対応するコピー条件とが一致するか否かを判定し、当該判定結果に基づいてコピーモード設定部２０４はコピーモードを設定することにしている。
【００４９】
スキャナ制御部２１０は、コピーモード設定部２０４で設定したコピー条件に基づいてスキャナ部１２０を制御する。例えば、コピーモード設定部２０４で「原稿印刷面」のコピー条件として「両面」を設定した場合には、スキャナ部１２０で原稿の両面を読み取るように制御する。
【００５０】
画像処理部２１２は、スキャナ部１２０で読み込んだ画像データの処理（例えば、シューディング補正、ＭＴＦ補正、γ補正、歪み補正など）をすることができる。なお、画像処理部２１２は、スキャナ部１２０で読み込んだ画像データの処理（例えば、画像拡大、画像縮小など）をコピーモード設定部２０４で設定した印刷モードに定められた条件（例えば、印刷倍率１１４％、印刷倍率９３％など）に基づいて行うことができる。なお、画像処理部２１２が処理する画像はスキャナ部１２０で読み込んだ画像データに限定されるものではなく、既に電子ファイリングされている画像データの処理を行ってもよい。
【００５１】
プリンタ制御部２１４は、コピーモード設定部２０４で設定したコピー条件に基づいてプリンタ部１３０を制御する。例えば、コピーモード設定部２０４で「原稿印刷面」のコピー条件として「両面」を設定した場合には、プリンタ部１３０で原稿の両面に画像を印刷するように制御する。
【００５２】
記憶部３００は、ストレージ手段であり、主として、ＲＯＭ（Ｒｅａｄ  Ｏｎｌｙ  Ｍｅｍｏｒｙ）３０２と、ＲＡＭ（Ｒａｎｄａｍ  Ａｃｃｅｓｓ  Ｍｅｍｏｒｙ）３０４、ＮＶ−ＲＡＭ（Ｎｏｎｖｏｌａｔｉｌｅ  Ｒａｎｄａｍ  Ｍｅｍｏｙ）３０６と、ＨＤＤ（ＨＡＲＤ  ＤＩＳＫ  ＤＲＩＶＥ）３０８と、を含んで構成される。
【００５３】
ＲＯＭ３０２は、複合機１００を構成する各部を制御するためのプログラムを格納する。ＲＡＭ３０４は、表示制御部２０２で受け付けた設定情報に対応するコピー条件を一時的に保存する。ＮＶ−ＲＡＭ３０６は、不揮発性メモリであり、コピー初期モードやコピー初期モード設定部２０６でコピー初期モードの内容を変更するために必要な予め定められたパスワードを記憶する。ＨＤＤ３０８は、画像処理部２１２で補正処理などを施した後の画像データを保存する。
【００５４】
以上の構成において、第１の実施の形態のコピーモードの設定処理について図４を参照して説明する。図４は、第１の実施の形態のコピーモードの設定の処理手順を示すフローチャートである。
【００５５】
まず、コピー初期モードの設定処理を行う（ステップＳＡ−１）。ここで、コピー初期モードの設定処理について図５から図６−４を参照して説明する。図５は、コピー初期モードの設定の処理手順を示すフローチャートである。まず、操作部１１４の初期設定キー１１４ａを押下させると（ステップＳＡ−１０１）、表示制御部２０２は液晶タッチパネル１１２に「初期設定／カウンター画面」（図６−１）を表示させる（ステップＳＡ−１０２）。ついで、ステップＳＡ−１０２で表示させた「初期設定／カウンター画面」における「コピー初期設定キー」６１を押下させると（ステップＳＡ−１０３）、「パスワード入力画面」（図示なし）を表示させる（ステップＳＡ−１０４）。ついで、ステップＳＡ−１０４で表示させた「パスワード入力画面」において、操作部１１４のテンキーなどを押下させ、表示制御部２０２がパスワードの入力情報を受け付けると（ステップＳＡ−１０５）、コピー初期モード設定部２０６はステップＳＡ−１０５で入力されたパスワードとＮＶ−ＲＡＭ３０６に記憶されているパスワードとが一致するか否かを判定する（ステップＳＡ−１０６）。ステップＳＡ−１０６で一致しないとの判定結果を得た場合（ステップＳＡ−１０７：Ｎｏ）、処理手順はステップＳＡ−１０４に移行される。一方、ステップＳＡ−１０６で一致するとの判定結果を得た場合（ステップＳＡ−１０７：Ｙｅｓ）、「コピー初期設定画面」（図６−２）を表示させる（ステップＳＡ−１０８）。ついで、ステップＳＡ−１０８で表示させた「コピー初期設定画面」における各種の「設定キー」を押下させる（ステップＳＡ−１０９）。ここでは、一例として「優先カラー設定キー」６２を押下させた場合について説明する。「優先カラー設定キー」６２を押下させると、図６−３に示すような「優先カラー設定画面」（「コピー条件選択画面」）を表示させる（ステップＳＡ−１１０）。ステップＳＡ−１１０で表示させた「優先カラー設定画面」における「白黒キー」６３を押下させると（ステップＳＡ−１１１）、コピー初期モード設定部２０６は、「白黒」をコピー初期モードに定められた条件としてＮＶ−ＲＡＭ３０６に設定する（ステップＳＡ−１１２）ついで、再び「コピー初期設定画面」（図６−４）を表示させる。ここで、各「設定キー」が押下される場合（ステップＳＡ−１１３：「設定キー」は、処理手順はステップＳＡ−１０９へ移行され、「コピー初期設定画面」における「終了キー」６４が押下される場合（ステップＳＡ−１１３：「終了キー」）は、コピー初期モードの設定処理は終了し、印刷モードの設定の処理手順に戻る。
【００５６】
再び図４に戻り、スキャナ部１２０で読み取る画像の原稿がコンタクトガラス、ＡＤＦなどにセットされると、表示制御部２０２は、液晶タッチパネル１１２の画面上に「コピー設定画面」（図７）を表示させ（ステップＳＡ−２）、設定情報の選択を促す。ついで、設定情報を選択させ、表示制御部２０２は、「画像色」のコピー条件についての設定情報または「原稿印刷面」のコピー条件についての設定情報を受け付ける（ステップＳＡ−３）。ここでは、表示制御部２０２が「画像色」のコピー条件についての設定情報を受け付けた場合について以下説明する。ついで、コピーモード判定部２０８は、ステップＳＡ−１１２でＮＶ−ＲＡＭ３０６に設定したコピー初期モードに定められた「画像色」のコピー条件の設定が「ＯＦＦ」であるか否かを判定する（ステップＳＡ−４）。ステップＳＡ−４で、設定が「ＯＦＦ」でないとの判定結果を得た場合（ステップＳＡ−５：Ｎｏ）、コピーモード判定部２０８は、ステップＳＡ−３で受け付けた設定情報に対応するコピー条件と、コピー初期モードに定められた「画像色」のコピー条件（優先条件）とが一致するか否かをさらに判定する（ステップＳＡ−６）。ステップＳＡ−６で一致しないとの判定結果を得た場合（ステップＳＡ−７：Ｎｏ）、コピーモード設定部２０４は、コピー初期モードに定められたコピー条件をステップＳＡ−３で受け付けた設定情報に対応するコピー条件としてＲＡＭ３０４に設定する（ステップＳＡ−８）。一方、ステップＳＡ−４で、設定が「ＯＦＦ」であるとの判定結果を得た場合（ステップＳＡ−５：Ｙｅｓ）またはステップＳＡ−６で一致するとの判定結果を得た場合（ステップＳＡ−７：Ｙｅｓ）、コピーモード設定部２０４は、ステップＳＡ−３で受け付けた設定情報に対応する条件をＲＡＭ３０４に設定する（ステップＳＡ−９）。なお、ステップＳＡ−９で設定されたコピー条件に基づいてスキャナ制御部２１０はスキャナ部１２０を制御し、プリンタ制御部２１４はプリンタ１３０を制御する。
【００５７】
以上説明したように、第１の実施の形態の複合機１００は、「画像色」または「原稿印刷面」のコピー条件について設定情報を受け付けると、コピー初期モードに定められた「画像色」のコピー条件または「原稿印刷面」のコピー条件の設定が「ＯＦＦ」であるか否かを判定し、設定が「ＯＦＦ」でない場合は受け付けた設定情報に対応する条件と優先条件とが一致するか否かをさらに判定し、一致しない場合は優先条件を受け付けた設定情報に対応する条件として設定する。一方、設定が「ＯＦＦ」である場合、また、設定情報に対応する条件と優先条件とが一致する場合は、受け付けた設定情報に対応する条件を設定する。
【００５８】
従って、第１の実施の形態の複合機１００によれば、コピーモード判定部２０８は、コピー初期モードに定められた優先条件と表示制御部２０２で受け付けた設定情報に対応する条件とを対比し、両条件が一致するか否かを判定し、一致しないとの判定結果を得た場合、コピーモード設定部２０４は、当該優先条件を当該設定情報に対応する条件としてＲＡＭ３０４に設定するので、管理者が所望するコピー条件の設定の維持を図ることができる。
【００５９】
また、コピー初期モード設定部２０６は、優先条件として「両面」または「片面」を定めて設定することができ、「両面」を優先条件として設定した場合には、コピーモード設定部２０４は「原稿印刷面」のコピー条件として「両面」を設定し、設定したコピー条件（両面）に基づいてスキャナ制御部２１０がスキャナ部１２０を制御し、プリンタ制御部２１４がプリンタ部１３０を制御するので、両面印刷を実行することができ、印刷処理にかかるコストを削減することができる。
【００６０】
また、コピー初期モード設定部２０６は、優先条件として、「フルカラー」または「白黒」を定めて設定することができ、「白黒」を優先条件として設定した場合には、コピーモード設定部２０４は「画像色」のコピー条件として「白黒」を設定し、設定したコピー条件（白黒）に基づいてスキャナ制御部２１０がスキャナ部１２０を制御し、プリンタ制御部２１４がプリンタ部１３０を制御するので、白黒印刷を実行することができ、印刷処理にかかるコストを削減することができる。
【００６１】
また、コピー初期モードに定められたコピー条件の変更する場合にはパスワードの入力を要し、入力したパスワードとＮＶ−ＲＡＭ３０６に記憶されたパスワードとが一致している場合にのみ、コピー初期モード設定部２０６によるコピー初期モードに定められたコピー条件の変更処理を行うので、管理者が所望する印刷モードであるコピー初期モードに定められたコピー条件の利用者による変更操作を防止することができる。
【００６２】
（第２の実施の形態）
次に、本発明の第２の実施の形態にかかる複合機１００について説明する。なお、第２の実施の形態の説明においては、上述した第１の実施の形態の複合機１００の説明と重複する説明を省略する場合がある。なお、第２の実施の形態の制御部２００は、第１の実施の形態の制御部２００の構成に加えて、プログラムモード登録部２１６をさらに備えている。
【００６３】
図８は、第２の実施の形態の複合機１００の構成を示すブロック図である。第２の実施の形態の制御部２００は、同図に示すように、表示制御部２０２と、コピーモード設定部２０４と、コピー初期モード設定部２０６と、コピーモード判定部２０８と、スキャナ制御部２１０と、画像処理部２１２と、プリンタ制御部２１４と、さらにプログラムモード登録部２１６と、を備えている。
【００６４】
プログラムモード登録部２１６は、プログラムモードを設定する。具体的には、コピーモード設定部２０４で設定した印刷モードをＮＶ−ＲＡＭ３０６にプログラムモードとして登録する。プログラムモードは、利用者から頻繁に入力される設定情報に対応する複数のコピー条件を定めたモードであって、コピーモード設定部２０４で複数のコピー条件を一括して設定させるために登録されるものである。
【００６５】
図９は、第２の実施の形態のＮＶ−ＲＡＭ３０６の記憶領域の一例を示す図である。同図に示すように、ＮＶ−ＲＡＭ３０６には、複合機１００のシステム初期設定を記憶するシステム初期設定記憶領域とコピー初期モードを記憶するコピー初期モード記憶領域の他に、プログラムモードを登録するためのプログラムモード記憶領域を予め有している。プログラムモード登録部２１６を設けてプログラムモードを登録することにより、表示制御部２０２で頻繁に受け付ける複数の設定情報に対応する複数のコピー条件をコピーモード設定部２０４で一括して設定することができ、利用者の煩雑な操作作業の負担を軽減することができる。なお、プログラムモード記憶領域には１０個のプログラムモードの登録が可能である。
【００６６】
図１０は、第２の実施の形態の操作表示部１１０の構成の一例を示す図である。第２の実施の形態の操作部１１４は、第１の実施の形態の操作部１１４の構成に加えて、図１０に示すように、プログラムキー１１４ｂをさらに備えている。なお、プログラムキー１１４ｂを押下させると、プログラムモードの登録処理が開始する。
【００６７】
第２の実施の形態のコピーモード判定部２０８は、コピー初期モードに定められた「画像色」のコピー条件または「原稿印刷面」のコピー条件の設定が「ＯＦＦ」であるか否かを判定し、設定が「ＯＦＦ」でないとの判定結果を得た場合には、優先条件とプログラムモードに定められた条件とを対比し、両条件が一致するか否かをさらに判定する。プログラムモードに定められた複数のコピー条件を一括してコピーモード設定部２０４で設定することにより、優先条件とは異なる条件が設定されたのでは、複合機１００の管理が十分とは言えない。そこで、コピーモード判定部２０８は、コピー初期モードに定められた「画像色」のコピー条件の設定が「ＯＦＦ」であるか否か、および／または「原稿印刷面」のコピー条件の設定が「ＯＦＦ」であるか否かを判定し、設定が「ＯＦＦ」でないとの判定結果を得た場合には優先条件とプログラムモードに定められた条件とが一致するか否かをさらに判定し、コピーモード設定部２０４は、当該判定結果に基づいてコピーモードを設定することとしている。
【００６８】
以上の構成において第２の実施の形態のコピーモードの設定処理について図１１を参照して説明する。図１１は、第２の実施の形態のコピーモードの設定の処理手順を示すフローチャートである。
【００６９】
まず、コピーモードの設定処理を行う（ステップＳＢ−１）。ここでいうコピーモードの設定処理とは、具体的には、第１の実施の形態のコピーモードの設定処理であり、上記で説明したステップＳＡ−１からＳＡ−９までの処理手順に従ってコピーモードの設定処理を行う。
【００７０】
ついで、プログラムモードの登録処理を行う（ステップＳＢ−２）。ここで、プログラムモードの登録処理について図１２から図１３−２を参照して説明する。図１２は、プログラムモードの登録の処理手順を示すフローチャートである。まず、操作部１１４のプログラムキー１１４ｂを押下させると（ステップＳＢ−２０１）、表示制御部２０２は液晶タッチパネル１１２に「プログラム（コピー）画面」（図１３−１）を表示させる（ＳＢ−２０２）。ついで、ステップＳＢ−２０２で表示させた「プログラム（コピー）画面」におけるプログラムモードが未登録である「登録番号キー」を押下させる（ステップＳＢ−２０３）。ステップＳＢ−２０３で、例えば、「登録番号００１キー」１３１を押下させると、「プログラム名入力画面」（図１３−２）を表示させてプログラム名の入力を促す（ステップＳＢ−２０４）。ついで、プログラム名を入力させ、さらに「ＯＫキー」１３２を押下させると（ステップＳＢ−２０５）、プログラムモード登録部２１６は、ステップＳＢ−１でＲＡＭ３０４に設定したコピーモードをプログラムモードとしてＮＶ−ＲＡＭ３０６のプログラムモード記憶領域に記憶させることで登録し（ステップＳＢ−２０６）、処理手順は印刷モードの設定処理に戻る。
【００７１】
再び、図１１に戻り、プログラムキー１１４ｂを押下させる（ステップＳＢ−３）。なお、ここでは、ステップＳＢ−２とステップＳＢ−３との間において、コピー初期モードの設定の変更があったものとする。ついで、表示制御部２０２は「プログラム（コピー）画面」（図１３−３）を表示させ（ステップＳＢ−４）、プログラムモードを登録している「登録番号キー」を押下させる（ステップＳＢ−５）。例えば、同図に示すプログラムモードがＮＶ−ＲＡＭ３０６のプログラムモード記憶領域に登録されている登録番号００１キー１３３を押下させる。ついで、コピーモード判定部２０８は、ＮＶ−ＲＡＭ３０６に設定したコピー初期モードに定められている「画像色」（「原稿印刷面」）のコピー条件の設定が「ＯＦＦ」であるか否かを判定する（ステップＳＢ−６）。ステップＳＡ−６で、設定が「ＯＦＦ」でないとの判定結果を得た場合（ステップＳＢ−７：Ｎｏ）、コピーモード判定部２０８は、ステップＳＢ−２で登録したプログラムモードに定められた「画像色」（「原稿印刷面」）のコピー条件と、コピー初期モードに定められた「画像色」（「原稿印刷面」）のコピー条件（優先条件）とを対比し、両条件が一致するか否かをさらに判定する（ステップＳＢ−８）。ステップＳＢ−８で一致しないとの判定結果を得た場合（ステップＳＢ−９：Ｎｏ）、コピーモード設定部２０４は、コピー初期モードに定められた優先条件をステップＳＢ−２で登録したプログラムモードに定められているコピー条件としてＲＡＭ３０４に設定する（ステップＳＢ−１０）。一方、ステップＳＢ−６で、設定が「ＯＦＦ」であるとの判定結果を得た場合（ステップＳＢ−７：Ｙｅｓ）、またはステップＳＢ−８で一致するとの判定結果を得た場合（ステップＳＡ−９：Ｙｅｓ）、コピーモード設定部２０４は、ステップＳＢ−２で登録したプログラムモードに定められた条件をＲＡＭ３０４に設定する（ステップＳＢ−１１）。
【００７２】
以上説明したように、第２の実施の形態の複合機１００は、ＮＶ−ＲＡＭ３０６のプログラムモード記憶領域に登録したプログラムモードを「登録番号キー」を押下させることで当該プログラムモードをＲＡＭ３０４に設定する際に、コピー初期モードに定められた「画像色」のコピー条件または「原稿印刷面」のコピー条件の設定が「ＯＦＦ」であるか否かを判定し、設定が「ＯＦＦ」でない場合は優先条件とプログラムモードに定められた条件とが一致するか否かをさらに判定し、一致しない場合は優先条件をプログラムモードに定められた条件として設定する。一方、設定が「ＯＦＦ」である場合、また、優先条件とプログラムモードに定められた条件とが一致する場合は、プログラムモードに定められた条件を設定する。
【００７３】
従って、第２の実施の形態の複合機１００によれば、複数のコピー条件を一括してコピーモード設定部２０４で設定する際にも、コピー初期モードに優先条件が定められている場合は、当該優先条件の設定の維持を図ることができる。
【００７４】
なお、第２の実施の形態では、コピーモード判定部２０８で優先条件とプログラムモードに定められたコピー条件とが一致しないと判断した場合は、コピーモード設定部２０４は、当該優先条件をプログラムモードに定められたコピー条件として印刷モードをＲＡＭ３０４に設定する。かかる場合において、コピーモード設定部２０４は、コピー初期モードに定められた全てのコピー条件をプログラムモードに定められた全てのコピー条件として印刷モードをＲＡＭ３０４に設定してもよい。これにより、管理者の所望のコピーモードの設定の維持を図ることができる。
【００７５】
また、第２の実施の形態では、コピーモード判定部２０８は、優先条件とプログラムモードに定められたコピー条件とを対比し、両条件が一致するか否かを判定するが、コピーモード判定部２０８は、コピー初期モードに定められた条件とプログラムモードに定められたコピー条件とを対比し、両条件が全て一致するか否かを判定させることもできる。ここで、一致しないとの判定結果を得た場合に、コピーモード設定部２０４は、コピー初期モードに定められた全てのコピー条件をプログラムモードに定められた全てのコピー条件として印刷モードをＲＡＭ３０４に設定してもよい。これにより、管理者の所望のコピーモードの設定の維持を図ることができる。
【００７６】
（第３の実施の形態）
次に、本発明の第３の実施の形態にかかる複合機１００について説明する。なお、第３の実施の形態の説明においては、上述した第１の実施の形態、第２の実施の形態の複合機１００の説明と重複する説明を省略する場合がある。
【００７７】
第３の実施の形態のプログラムモード登録部２１６は、デフォルトプログラムモードをＮＶ−ＲＡＭ３０６に記憶させることにより登録する。ここで、デフォルトプログラムモードとは、コピーモード設定部２０４でＲＡＭ３０４に設定したコピーモードをＮＶ−ＲＡＭ３０６に登録させたものであって、複合機１００が初期状態（電源投入時、リセット時など）に戻る場合にコピー初期モードに優先してコピーモード設定部２０４により設定されるものをいう。
【００７８】
図１４は、第３の実施の形態のＮＶ−ＲＡＭ３０６の記憶領域の一例を示す図である。同図に示すように、第３の実施の形態のＮＶ−ＲＡＭ３０６には、第２の実施の形態のＮＶ−ＲＡＭ３０６を構成する記憶領域に加えて、デフォルトプログラムモードを登録するためのデフォルトプログラムモード記憶領域をさらに備えている。従って、プログラムモード登録部２１６は、デフォルトプログラムモードをデフォルトプログラムモード記憶領域に記憶させるとことにより登録する。デフォルトプログラムモードをデフォルトプログラムモード記憶領域に登録させることにより、複合機１００の主電源ＯＮ／ＯＦＦが行われてもデフォルトプログラムモードを継続して登録しておくことができ、複合機１００が初期状態に戻る場合にはデフォルトプログラムモードをコピーモード設定部２０４で設定することができる。
【００７９】
第３の実施の形態のコピーモード判定部２０８は、コピー初期モードに定められた「画像色」（「原稿印刷面」）のコピー条件の設定が「ＯＦＦ」であるか否かを判定し、設定が「ＯＦＦ」でないとの判定結果を得た場合、コピーモード判定部２０８は、優先条件とデフォルトプログラムモードに定められた条件とを対比し、両条件が一致するか否かをさらに判定する。複合機１００が初期状態に戻る場合には、通常、管理者が所望する初期設定値であるコピー初期モードがコピーモード設定部２０４により設定される。しかし、複合機１００は、デフォルトプログラムモードをデフォルトプログラムモード記憶領域に登録しておき、複合機１００が初期状態に戻る場合に、登録したデフォルトプログラムモードをＲＡＭ３０４に設定する機能であるデフォルトプログラム機能を有する。当該デフォルトプログラムモードはコピー初期モードに優先して設定されるので、コピー初期モードを設定する意義がなくなると共に、コピー初期モードの内容変更の操作防止を図る意義もなくなる。そこで、コピーモード判定部２０８は、コピー初期モードに定められた「画像色」（「原稿印刷面」）のコピー条件の設定が「ＯＦＦ」であるか否かを判定し、設定が「ＯＦＦ」でないとの判定結果を得た場合に、優先条件とデフォルトプログラムモードに定められた条件とが一致するか否かを判定し、コピーモード設定部２０４は、当該判定結果に基づいてコピー条件をＲＡＭ３０４に設定することとしている。
【００８０】
第３の実施の形態のＲＯＭ３０２は、複合機１００の工場出荷時のコピー初期モードをさらに格納する。
【００８１】
以上の構成において、第３の実施の形態のコピーモードの設定処理ついて図１５を参照して説明する。図１５は、第３の実施の形態のコピーモードの設定の処理手順を示すフローチャートである。
【００８２】
まず、コピーモードの設定処理を行う（ステップＳＣ−１）。ここでのコピーモードの設定処理は、具体的には、第１の実施の形態のコピーモードの設定処理であり、上記で説明したステップＳＡ−１からステップＳＡ−９までの処理手順に従ってコピーモードの設定処理を行う。ついで、プログラムモードの登録処理を行う（ステップＳＣ−２）。具体的には、第２の実施の形態のプログラムモードの登録処理であり、上記で説明したステップＳＢ−２０１からステップＳＢ−２０６までの登録手順に従ってプログラムモードの登録処理を行う。
【００８３】
ついで、デフォルトプログラムモードの登録処理を行う（ステップＳＣ−３）。ここで、デフォルトプログラムモードの登録処理について図１３−３、および１６から図１７−３を参照して説明する。図１６は、デフォルトプログラムモードの登録の処理手順を示すフローチャートである。まず、操作部１１４のプログラムキー１１４ｂを押下させると（ステップＳＣ−３０１）、表示制御部２０２は液晶タッチパネル１１２ａに「プログラム（コピー）画面」（図１３−３）を表示させ（ステップＳＣ−３０２）、ステップＳＣ−３０２で表示させた「プログラム（コピー）画面」における「登録番号キー」を押下させる（ステップＳＣ−３０３）。なお、プログラムモードの登録処理を終え、そのままデフォルトプログラムモードの登録処理に移行する場合には、ステップＳＣ−３０１からステップＳＣ−３０３までの処理は重複するため不要である。ついで、「プログラム（コピー）画面」における「初期値として登録キー」１３４を押下させると（ステップＳＣ−３０４）、「初期値として登録画面」（図１７−１）を表示させ（ステップＳＣ−３０５）、「登録」キー１７１か「工場出荷時に戻す」キー１７２のいずれかの押下を選択させる（ステップＳＣ−３０６）。ステップＳＣ−３０６で「登録キー」１７１を押下させると（ステップＳＣ−３０７：「登録」）、「登録確認画面」（図１７−２）を表示させる（ステップＳＣ−３０８）。ついで、ステップＳＣ−３０８で表示させた「登録確認画面」における「登録するキー」１７３を押下させると（ステップＳＣ−３０９）、プログラムモード登録部２１６は、ステップＳＣ−３０３で押下させた登録番号に対応するプログラムモードをデフォルトプログラムモードとしてＮＶ−ＲＡＭ３０６のデフォルトプログラムモード記憶領域に登録し（ステップＳＣ−３１０）、コピーモードの設定の処理手順に戻る。一方、ステップＳＣ−３０６で「工場出荷時に戻すキー」１７２を押下させると（ステップＳＣ−３０７：「工場出荷時」）、「戻す確認画面」（図１７−３）を表示させる（ステップＳＣ−３１１）。ついで、ステップＳＣ−３１１で表示させた「戻す確認画面」における「戻すキー」１７４を押下させると（ステップＳＣ−３１２）、プログラムモード登録部２１６は、ＲＯＭ３０２に記憶されている工場出荷時のコピーモードをデフォルトプログラムモードとしてＮＶ−ＲＡＭ３０６のデフォルトプログラムモード記憶領域に登録し（ステップＳＣ−３１３）、コピーモードの設定の処理手順に戻る。
【００８４】
再び図１５に戻り、操作部１１４の主電源ボタンを押下させることにより複合機１００の電源のＯＮ／ＯＦＦを行われると、または操作部１１４のリセットキーを押下させることにより複合機１００がリセットされると（ステップＳＣ−４）、コピーモード判定部２０８は、コピー初期モードに定められた「画像色」（「原稿印刷面」）のコピー条件の設定が「ＯＦＦ」であるか否かを判定する（ステップＳＣ−５）。ステップＳＣ−５で「ＯＦＦ」でないとの判定結果を得た場合（ステップＳＣ−６：Ｙｅｓ）、コピーモード判定部２０８は、ステップＳＣ−３で登録したデフォルトプログラムモードに定められている「画像色」（「原稿印刷面」）のコピー条件とコピー初期モードに定められた「画像色」（「原稿印刷面」）のコピー条件（優先条件）とを対比し、両条件が一致するか否かをさらに判定する（ステップＳＣ―７）。ステップＳＣ−７で一致しないとの判定結果を得た場合（ステップＳＣ−８：Ｎｏ）、コピーモード設定部２０４は、コピー初期モードに定められた優先条件をステップＳＣ−３で登録したデフォルトプログラムモードに定められた「画像色」（「原稿印刷面」）のコピー条件としてＲＡＭ３０４に設定する（ステップＳＣ−９）。一方、ステップＳＣ−５で設定が「ＯＦＦ」であるとの判定結果を得た場合（ステップＳＣ−６：Ｎｏ）、またはステップＳＣ−７で一致するとの判定結果を得た場合（ステップＳＣ−８：Ｙｅｓ）、コピーモード設定部２０４は、ステップＳＣ−３で登録したデフォルトプログラムモードに定められたコピー条件をＲＡＭ３０４に設定する（ステップＳＣ−１０）。
【００８５】
以上説明したように、第３の実施の形態の複合機１００は、複合機１００が初期状態に戻る場合に、コピー初期モードに定められた「画像色」のコピー条件または「原稿印刷面」のコピー条件の設定が「ＯＦＦ」であるか否かを判定し、設定が「ＯＦＦ」でない場合は優先条件とプログラムモードに定められた条件とが一致するか否かをさらに判定し、一致しない場合は優先条件をデフォルトプログラムモードに定められた条件として設定する。一方、設定が「ＯＦＦ」である場合、また、優先条件とデフォルトプログラムモードに定められた条件とが一致する場合は、デフォルトプログラムモードに定められた条件を設定する。
【００８６】
従って、第３の実施の形態の複合機１００によれば、複合機１００が初期状態に戻る場合においても、コピー初期モードに定められた優先条件がＮＶ−ＲＡＭ３０６に設定されている場合には、当該優先条件の設定の維持を図ることができる。
【００８７】
図１８は、かかる複合機１００のハードウェア構成を示すブロック図である。同図に示すように、この複合機１００は、コントローラ１０とエンジン部（Engine）６０とをＰＣＩ（Peripheral Component Interconnect）バスで接続した構成となる。
【００８８】
コントローラ１０は、複合機１００全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００８９】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）３０８と、ＮＶ−ＲＡＭ３０６を有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）３０２と、ＲＡＭ(Random Access Memory)３０４とをさらに有する。
【００９０】
ＣＰＵ１１は、複合機１００の全体制御をおこなうものであり、ＮＢ１３、ＭＥＭ−Ｐ１２およびＳＢ１４からなるチップセットを有し、このチップセットを介して他の機器と接続される。
【００９１】
ＮＢ１３は、ＣＰＵ１１とＭＥＭ−Ｐ１２、ＳＢ１４、ＡＧＰ１５、ＮＶ−ＲＡＭ３０６とを接続するためのブリッジであり、ＭＥＭ−Ｐ１２に対する読み書きなどを制御するメモリコントローラと、ＰＣＩマスタおよびＡＧＰターゲットとを有する。
【００９２】
ＭＥＭ−Ｐ１２は、プログラムやデータの記憶用メモリ、プログラムやデータの展開用メモリ、プリンタの描画用メモリなどとして用いるシステムメモリであり、ＲＯＭ３０２とＲＡＭ３０４とからなる。ＲＯＭ３０２は、プログラムやデータの記憶用メモリとして用いる読み出し専用のメモリであり、ＲＡＭ３０２は、プログラムやデータの展開用メモリ、プリンタの描画用メモリなどとして用いる書き込みおよび読み出し可能なメモリである。
【００９３】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００９４】
ＡＳＩＣ１６は、画像処理用のハードウェア要素を有する画像処理用途向けのＩＣ（Integrated Circuit）であり、ＡＧＰ１５、ＰＣＩバス、ＨＤＤ３０８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。
【００９５】
ＭＥＭ−Ｃ１７は、コピー用画像バッファ、符号バッファとして用いるローカルメモリであり、ＨＤＤ（Hard Disk Drive）３０８は、画像データの蓄積、プログラムの蓄積、フォントデータの蓄積、フォームの蓄積を行うためのストレージである。
【００９６】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００９７】
ＮＶ−ＲＡＭ３０６は、プログラムやデータを記憶し、書き込みおよび読み出し可能な不揮発性メモリである。
【００９８】
なお、本実施の形態の複合機１００で実行される画像形成プログラムは、ＲＯＭ等に予め組み込まれて提供される。
【００９９】
本実施の形態の複合機１００で実行される画像形成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。さらに、本実施の形態の複合機１００で実行される画像形成プログラムを、インターネット等のネットワークに接続されたコンピュータ上に記憶し、ネットワーク経由でダウンロードさせることにより提供するように構成しても良い。また、本実施の形態の複合機１００で実行される画像形成プログラムをインターネット等のネットワーク経由で提供または配布するように構成しても良い。
【０１００】
本実施の形態の複合機１００で実行される画像形成プログラムは、上述した各部（表示制御部２０２、コピーモード設定部２０４、コピー初期モード設定部２０６、コピーモード判定部２０８、スキャナ制御部２１０、画像処理部２１２、プリンタ制御部２１４、プログラムモード登録部２１６）を含むモジュール構成となっており、実際のハードウェアとしてはＣＰＵ（プロセッサ）が上記ＲＯＭ３０２から画像形成プログラムを読み出して実行することにより上記各部が主記憶装置上にロードされ、表示制御部２０２、コピーモード設定部２０４、コピー初期モード設定部２０６、コピーモード判定部２０８、スキャナ制御部２１０、画像処理部２１２、プリンタ制御部２１４、プログラムモード登録部２１６が主記憶装置上に生成されるようになっている。
【図面の簡単な説明】
【０１０１】
【図１】第１の実施の形態の複合機１００の構成を示すブロック図である。
【図２】第１の実施の形態の操作表示部１１０の構成の一例を示す図である。
【図３】複合機１００が有するコピー機能およびコピー条件の一例を示す図である。
【図４】第１の実施の形態のコピーモードの設定の処理手順を示すフローチャートである。
【図５】コピー初期モードの設定の処理手順を示すフローチャートである。
【図６−１】液晶タッチパネル１１２に表示された「初期設定／カウンター画面」の一例を示す図である。
【図６−２】液晶タッチパネル１１２に表示された「コピー初期設定画面」の一例を示す図である。
【図６−３】液晶タッチパネル１１２に表示された「コピー条件選択画面」の一例を示す図である。
【図６−４】液晶タッチパネル１１２に表示された「コピー初期設定画面」の一例を示す図である。
【図７】液晶タッチパネル１１２に表示された「コピー設定画面」の一例を示す図である。
【図８】第２の実施の形態の複合機１００の構成を示すブロック図である。
【図９】第２の実施の形態のＮＶ−ＲＡＭ３０６の記憶領域の一例を示す図である。
【図１０】第２の実施の形態の操作表示部１１０の構成の一例を示す図である。
【図１１】第２の実施の形態のコピーモードの設定の処理手順を示すフローチャートである。
【図１２】プログラムモードの登録の処理手順を示すフローチャートである。
【図１３−１】液晶タッチパネル１１２に表示された「プログラム（コピー）画面」の一例を示す図である。
【図１３−２】液晶タッチパネル１１２に表示された「プログラム名入力画面」の一例を示す図である。
【図１３−３】液晶タッチパネル１１２に表示された「プログラム（コピー）画面」の一例を示す図である。
【図１４】第３の実施の形態のＮＶ−ＲＡＭ３０６の記憶領域の一例を示す図である。
【図１５】第３の実施の形態のコピーモードの設定の処理手順を示すフローチャートである。
【図１６】デフォルトプログラムモードの登録の処理手順を示すフローチャートである。
【図１７−１】液晶タッチパネル１１２に表示された「初期値として登録画面」の一例を示す図である。
【図１７−２】液晶タッチパネル１１２に表示された「登録確認画面」の一例を示す図である。
【図１７−３】液晶タッチパネル１１２に表示された「戻す確認画面」の一例を示す図である。
【図１８】本実施の形態の複合機１００のハードウェア構成を示すブロック図である。
【符号の説明】
【０１０２】
１００  複合機
１１０  操作表示部
１１２  液晶タッチパネル
１１４  操作部
１１４ａ  初期設定キー
１１４ｂ  プログラムキー
１２０  スキャナ部
１３０  プリンタ部
１４０  本体部
２００  制御部
２０２  表示制御部
２０４  コピーモード設定部
２０６  コピー初期モード設定部
２０８  コピーモード判定部
２１０  スキャナ制御部
２１２  画像処理部
２１４  プリンタ制御部
２１６  プログラムモード登録部
３００  記憶部
３０２  ＲＯＭ
３０４  ＲＡＭ
３０６  ＮＶ−ＲＡＭ
３０８  ＨＤＤ
１０  コントローラ
１１  ＣＰＵ
１２  システムメモリ（ＭＥＭ−Ｐ）
１３  ノースブリッジ（ＮＢ）
１４  サウスブリッジ（ＳＢ）
１５  ＡＧＰバス
１６  ＡＳＩＣ
１７  ＭＥＭ−Ｃ
３０  ＦＣＵ
４０  ＵＳＢ
５０  インターフェース
６０  エンジン部
【図１】
2007251673.tif 000003
【図２】
2007251673.tif 000004
【図３】
2007251673.tif 000005
【図４】
2007251673.tif 000006
【図５】
2007251673.tif 000007
【図６−１】
2007251673.tif 000008
【図６−２】
2007251673.tif 000009
【図６−３】
2007251673.tif 000010
【図６−４】
2007251673.tif 000011
【図７】
2007251673.tif 000012
【図８】
2007251673.tif 000013
【図９】
2007251673.tif 000014
【図１０】
2007251673.tif 000015
【図１１】
2007251673.tif 000016
【図１２】
2007251673.tif 000017
【図１３−１】
2007251673.tif 000018
【図１３−２】
2007251673.tif 000019
【図１３−３】
2007251673.tif 000020
【図１４】
2007251673.tif 000021
【図１５】
2007251673.tif 000022
【図１６】
2007251673.tif 000023
【図１７−１】
2007251673.tif 000024
【図１７−２】
2007251673.tif 000025
【図１７−３】
2007251673.tif 000026
【図１８】
2007251673.tif 000027